(57)【要約】【課題】ローラクラッチにおいて、ローラの形状に関わらず、板ばねのばね部材によりローラを適正な付勢力で確実にくい込み方向に付勢できるようにする。【解決手段】ローラクラッチ５１は、外輪５４と、内輪５５と、複数のローラ５６と、ばね部材５８と、カム面５４ａと、リテーナ５７と、を備えている。複数のローラは、内輪と外輪との間に周方向に間隔を隔てて配置され、外輪と内輪との間にくい込み得る。ばね部材は、複数のローラをくい込み方向に付勢する部材である。ばね部材は、外輪の端面に配置可能な板状の装着部５８ａと、装着部から折り曲げられて複数のローラの間で複数のローラに向かってそれぞれ延びる複数のばね部５８ｂと、ばね部の先端からローラの外周面に接触可能にばね部と交差する方向にそれぞれ延びる複数の押圧部５８ｃと、を有する板ばねである。【選択図】図４
2009063051.tif 000002
【特許請求の範囲】
【請求項１】
回転を一方向にのみ伝達可能なローラクラッチであって、
内周面を有する外輪と、
外周面を有し、前記外輪の内周側に配置された内輪と、
前記内輪と前記外輪との間に周方向に間隔を隔てて配置され、前記外輪と前記内輪との間にくい込み得る複数のローラと、
前記複数のローラをくい込み方向に付勢するばね部材と、
前記外周面及び前記内周面のいずれか一方に形成され、前記ローラの外周面に接触可能な傾斜面で構成されたカム面と、
前記複数のローラを周方向に間隔を隔てて配置するためのリテーナと、を備え、
前記ばね部材は、
前記内輪及び外輪のいずれか一方の端面に配置可能な環状の装着部と、
前記装着部から折り曲げられて前記複数のローラの間で前記複数のローラに向かってそれぞれ延びる複数のばね部と、
前記ばね部の先端から前記ローラの外周面に接触可能に前記ばね部と交差する方向にそれぞれ延びる複数の押圧部と、を有する板ばねである、ローラクラッチ。
【請求項２】
前記ローラは、直径の１倍から２倍の範囲の長さを有するものである、請求項１に記載のローラクラッチ。
【請求項３】
前記複数のばね部は、前記装着部から前記ローラに向かってそれぞれ１対延びており、
前記複数の押圧部は、前記１対のばね部の先端を連結するように延びている、請求項１又は２に記載のローラクラッチ。
【請求項４】
前記複数の押圧部は、前記ばね部の先端から一方向に延びている、請求項１又は２に記載のローラクラッチ。
【請求項５】
前記複数の押圧部は、前記ばね部の先端から両方向に延びている、請求項１又は２に記載のローラクラッチ。
【請求項６】
前記カム面は、前記外輪の内周面に配置され、
前記装着部は、前記外輪の端面に装着可能である、請求項１から５のいずれか１項に記載のローラクラッチ。
【請求項７】
前記装着部は、
前記外輪の端面に配置されるリング部と、
前記リング部の内周部に周方向に間隔を隔てて配置され、前記内周部から径方向内方に延びる複数のばね配置部と、を有し、
前記複数のばね部は、前記ばね配置部から折れ曲がって前記ローラに向かって延びている、請求項６に記載のローラクラッチ。
【請求項８】
前記リテーナは、
前記装着部と前記外輪との間に配置される座金形状の取付部と、
前記取付部の内周部に一体形成され前記複数のローラの間に周方向に間隔を隔てかつ周方向に移動可能に配置するための複数の保持部と、を有する、請求項７に記載のローラクラッチ。
【請求項９】
釣り用リールのリール本体に固定され、前記外輪、前記リテーナ及びばね部材を収納する収納空間を有する有底筒状のケース部材をさらに備え、
前記装着部は、前記取付部と前記ケース部材の底部との間に配置される、請求項８に記載のローラクラッチ。
【請求項１０】
前記外輪は、前記収納空間に回転不能に収納され、
前記リテーナ及び前記ばね部材は、前記収納空間に回動自在に収納され、
前記ばね部材は一体的に回動するように前記リテーナに連結されている、請求項９に記載のローラクラッチ。
【請求項１１】
前記ケース部材に固定され前記収納空間を塞ぐカバー部材をさらに備え、
前記ばね配置部は、前記保持部と同じ周方向位置に配置可能であり、
前記カバー部材は、前記保持部に接触可能な接触部を有する、請求項９又は１０に記載のローラクラッチ。
【発明の詳細な説明】
【技術分野】
【０００１】
本発明は、ローラクラッチ、特に、回転を一方向にのみ伝達するローラクラッチに関する。
【背景技術】
【０００２】
釣り用リール、特に、スピニングリールには、キャスティング時や糸巻取時にロータが糸繰り出し方向に逆転しないように、逆転防止機構が設けられている。この逆転防止機構は、リール本体とロータとの間に設けられたワンウェイクラッチで構成されている。この逆転禁止用のワンウェイクラッチに、逆転開始時の遊び（ガタ）を少なくするためにローラクラッチを採用したものが知られている（たとえば、特許文献１参照）。
【０００３】
一般にローラクラッチは、外輪と、外輪に対して相対回転可能な内輪と、外輪と内輪との間に配置され、両輪の間にくい込み可能な複数のローラとを備えている。また、ローラクラッチには内輪遊転型と外輪遊転型とがあり、外輪遊転型のものでは内輪の外周面にカム面が形成され、内輪遊転型のものでは外輪の内周面にカム面が形成されている。このようなローラクラッチには、ローラをカム面にくい込む方向に付勢するばね部材が設けられている。ローラクラッチに使用されるばね部材として、板ばねを使用したものが従来知られている（たとえば、特許文献２参照）。板ばねを利用すると、複数のローラを付勢するばね部材を一括して装着でき、ばね部材の装着が容易になり、組立コストの削減を図ることができる。
【０００４】
板ばねを用いた従来のローラクラッチは、直径が小さく長さが長いニードル形のローラを有するニードルローラクラッチであり、ばね部材は、外輪の端面に配置されるリング板状の装着部と装着部からローラに向かって折り曲げられたばね部とを有している。ばね部は、略同じ幅で延びており、延びた先端が湾曲してローラに接触している。
【０００５】
このようなローラクラッチでは、ローラがカム面にくい込むように内輪又外輪が回転すると、回転が伝達され、ローラがカム面から離反するように内輪又外輪が回転すると回転が遮断される。スピニングリールのロータの逆転防止機構の場合、リール本体に外輪が回転不能に連結され、ロータに内輪が一体回転可能に連結されている。そして、ロータが糸繰り出し方向に逆転する方向がローラクラッチの回転伝達方向になっており、ロータの糸巻取方向の回転だけを許容するようにしている。
【特許文献１】特開平８−９８４４号公報
【特許文献２】実開平４−６３８８号公報
【発明の開示】
【発明が解決しようとする課題】
【０００６】
前記従来のニードルローラクラッチに用いられるばね部材では、板ばねのばね部が同じ幅で延びている。このため、ローラの直径が大きくなると、ばね部の接触部分が相対的に小さくなり、ローラを確実に付勢しにくくなり、回転遮断方向から回転伝達方向に逆転したときに瞬時に回転を禁止しにくくなる。このため、ローラの直径が大きくなると、ばね部の幅を大きくして接触部の長さを長くしないと、ローラをカム面にくい込む方向に確実に付勢できない。しかし、ばね部の幅を大きくすると、ばね力が強くなり過ぎて、ローラがくい込み方向に過度に付勢されて回転遮断方向の回転が重くなるおそれがある。
【０００７】
本発明の課題は、ローラクラッチにおいて、ローラの形状に関わらず、板ばねのばね部材によりローラを適正な付勢力で確実にくい込み方向に付勢できるようにすることにある。
【課題を解決するための手段】
【０００８】
発明１に係るローラクラッチは、回転を一方向にのみ伝達可能なローラクラッチであって、外輪と、内輪と、複数のローラと、ばね部材と、カム面と、リテーナと、を備えている。外輪は内周面を有している。内輪は、外周面を有し、外輪の内周側に配置されている。複数のローラは、内輪と外輪との間に周方向に間隔を隔てて配置され、外輪と内輪との間にくい込み得るものである。ばね部材は、複数のローラをくい込み方向に付勢する部材である。カム面は、外周面及び内周面のいずれか一方に形成され、ローラの外周面に接触可能な傾斜面で構成されたものである。リテーナは、複数のローラを周方向に間隔を隔てて配置するためのものである。ばね部材は、内輪及び外輪のいずれか一方の端面に配置可能な板状の装着部と、装着部から折り曲げられて複数のローラの間で複数のローラに向かってそれぞれ延びる複数のばね部と、ばね部の先端からローラの外周面に接触可能にばね部と交差する方向にそれぞれ延びる複数の押圧部と、を有する板ばねである。
【０００９】
このローラクラッチでは、内輪と外輪とがローラがカム面に食い込む方向に相対回転しようとすると、ばね部材により付勢されたローラがカム面に食い込んで回転が伝達される。また、ローラがカム面から離反する方向に回転するとばね部材の付勢力に抗してローラがカム面から離反して回転遮断状態になる。このばね部材のばね部に対して押圧部が交差する方向に延びている。このため、ばね部の幅や厚みによりばね部材のばね力をローラに対して適宜に設定できるとともに、ばね部と交差する押圧部の長さによりローラとの接触部の長さを適宜に設定できる。したがって、ローラの形状に関わらず、板ばねのばね部材によりローラを適正な付勢力で確実にくい込み方向に付勢できるようになる。
【００１０】
発明２に係るローラクラッチは、発明１に記載のクラッチにおいて、ローラは、直径の１倍から２倍の範囲の長さを有するものである。この場合には、長さに対して直径が大きい太短いローラであっても、板ばねのばね部と交差する方向に延びる押圧部によりローラとの接触部が相対的に大きくなり、太短いローラであっても確実に付勢できる。
【００１１】
発明３に係るローラクラッチは、発明１又は２に記載のクラッチにおいて、複数のばね部は、装着部からローラに向かってそれぞれ１対延びており、複数の押圧部は、１対のばね部の先端を連結するように延びている。この場合には、ばね部が１対設けられ、その先端を押圧部が連結しているので、押圧部が両端支持される。このため、押圧部の強度を高く維持でき、ローラをさらに確実に付勢できる。
【００１２】
発明４に係るローラクラッチは、発明１又は２に記載のクラッチにおいて、複数の押圧部は、ばね部の先端から一方向に延びている。この場合には、ばね部の数が一つであるので、ばね部が１対の場合に比べてばね定数を小さくすることができ、回転伝達状態から回転遮断状態へ迅速に切り換えできる。
【００１３】
発明５に係るローラクラッチは、発明１又は２に記載のクラッチにおいて、複数の押圧部は、ばね部の先端から両方向に延びている。この場合には、ばね部の数が一つであるので、ばね部が１対の場合に比べてばね定数を小さくすることができ、回転伝達状態から回転遮断状態へ迅速に切り換えできる。しかも、ばね部を押圧部の中央に配置可能であるので、ローラを安定して付勢しやすい。
【００１４】
発明６に係るローラクラッチは、発明１から５のいずれかに記載のクラッチにおいて、カム面は、外輪の内周面に配置され、装着部は、外輪の端面に装着可能である。この場合には、内輪遊転型のローラクラッチにおいて、外輪を利用してばね部材を保持できる。
【００１５】
発明７に係るローラクラッチは、発明６に記載のクラッチにおいて、装着部は、外輪の端面に配置されるリング部と、リング部の内周部に周方向に間隔を隔てて配置され、内周部から径方向内方に延びる複数のばね配置部と、を有し、複数のばね部は、ばね配置部から折れ曲がってローラに向かって延びている。この場合には、外輪を利用してばね部材のリング部を保持しても、リング部の内周部にばね配置部を設けたので、外輪から内周側に外れた位置にばね部を配置でき、ローラを付勢しやすくなる。
【００１６】
発明８に係るローラクラッチは、発明７に記載のクラッチにおいて、リテーナは、装着部と外輪との間に配置される座金形状の取付部と、取付部の内周部に一体形成され複数のローラの間に周方向に間隔を隔てかつ周方向に移動可能に配置するための複数の保持部と、を有している。この場合には、リテーナが装着部と外輪との間に配置できるので、リテーナの保持を特別の保持構造を形成することなく容易に行える。
【００１７】
発明９に係るローラクラッチは、発明８に記載のクラッチにおいて、釣り用リールのリール本体に固定され、外輪、リテーナ及びばね部材を収納する収納空間を有する有底筒状のケース部材をさらに備え、装着部は、取付部とケース部材の底部との間に配置される。この場合には、ケース部材の底部でばね部材の装着部をリテーナとともに保持できるので、リテーナとばね部材の保持をケース部材にまとめて保持できる。
【００１８】
発明１０に係るローラクラッチは、発明９に記載のクラッチにおいて、外輪は、収納空間に回転不能に収納され、リテーナ及びばね部材は、収納空間に回動自在に収納され、ばね部材は一体的に回動するようにリテーナに連結されている。この場合には、リテーナを僅かに回してローラクラッチを回転伝達状態と回転遮断状態とに切り換える場合に、リテーナを回すだけでばね部材も同時に回すことができる。
【００１９】
発明１１に係るローラクラッチは、発明９又は１０に記載のクラッチにおいて、ケース部材に固定され収納空間を塞ぐカバー部材をさらに備え、ばね配置部は、保持部と同じ周方向位置に配置可能であり、カバー部材は、保持部に接触可能な接触部を有する。この場合には、カバー部材をケース部材に固定すると、接触部が保持部に接触する。この結果、保持部と同じ周方向位置に配置された板状のばね配置部の浮き上がりを保持部により防止でき、ばね配置部から折れ曲がるばね部の付勢力が安定する。
【発明の効果】
【００２０】
本発明によれば、ばね部材のばね部に対して押圧部が交差する方向に延びている。このため、ばね部の幅や厚みによりばね部材のばね力をローラに対して適宜に設定できるとともに、ばね部と交差する押圧部の長さによりローラとの接触部の長さを適宜に設定できる。したがって、ローラの形状に関わらず、板ばねのばね部材によりローラを適正な付勢力で確実にくい込み方向に付勢できるようになる。
【発明を実施するための最良の形態】
【００２１】
＜全体構成及びリール本体の構成＞
図１において、本発明の一実施形態が採用されたスピニングリールは、釣り竿の長手方向に沿う軸芯Ｘ回りに釣り糸を巻き取るフロントドラグ型のリールである。スピニングリールは、ハンドル１を備えたリール本体２と、リール本体２の前部に回転自在に支持されたロータ３と、ロータ３の前部に配置された釣り糸を巻き取るスプール４とを備えている。
【００２２】
リール本体２は、例えば金属製又は合成樹脂製である。リール本体２は、図１及び図２に示すように釣り竿に装着される前後に長い装着部２ｃと、装着部２ｃと間隔を隔てて配置されたリールボディ２ａ（図２）と、装着部２ｃとリールボディ２ａとを連結する脚部２ｂとを有している。リールボディ２ａは、内部に機構装着空間を有しており、その側部は開口している。この開口部分は蓋部材２ｄにより覆われている。
【００２３】
リールボディ２ａの内部には、ロータ３を回転させるためのロータ駆動機構５と、スプール４をハンドル１の回転に連動して前後に往復移動させるオシレーティング機構６とが設けられている。リールボディ２ａの前部には、図３に示すように、後述する逆転防止機構５０を装着するための円形の機構取付部２ｅが形成されている。機構取付部２ｅには、３つのねじ孔２ｆが周方向に等間隔で形成されている。
【００２４】
ロータ駆動機構５は、ハンドル１が連結されたハンドル軸１０とともに回転するマスターギア軸１１ａを有するフェイスギアからなるマスターギア１１と、このマスターギア１１に噛み合うピニオンギア１２とを有している。ピニオンギア１２は筒状に形成されており、その前部１２ａはロータ３の中心部を貫通してスプール４側に回転軸芯Ｘに沿って延びている。そして、その前部１２ａには雄ねじ部１２ｂ（図３）が形成されている。ピニオンギア１２は、その軸方向の中間部と後端部とが、それぞれ軸受１３，１４を介してリールボディ２ａに回転自在に支持されている。
【００２５】
オシレーティング機構６は、マスターギア軸１１ａに設けられた駆動ギア２１と、駆動ギア２１に噛み合う中間ギア部２２と、中間ギア部２２を介して駆動ギア２１に連動して回転するカムギア部２３と、スプール軸２０の後端に回転不能かつ移動不能に固定され、カムギア部２３に係合して前後移動するスライダ部２４と、リールボディ２ａに設けられ、スライダ部２４を前後移動自在に案内する２本のガイド軸２５ａ，２５ｂとを有している。
【００２６】
駆動ギア２１は、円形ギアであり、マスターギア軸１１ａにマスターギア１１と間隔を隔てて配置されている。中間ギア部２２は、円板状の部材であり、マスターギア軸１１ａと平行な軸回りにリールボディ２ａに回転自在に装着されている。中間ギア部２２は、駆動ギア２１に噛み合う第１ギア２２ａと、第１ギア２２ａと同芯に配置された第２ギア２２ｂとを有している。第１ギア２２ａは、駆動ギア２１より歯数が多く、たとえば歯数が２２の平歯車又ははす歯歯車等の円形ギアである。第２ギア２２ｂは、たとえば歯数が１２の２葉の楕円ギア等の非円形ギアである。カムギア部２３は、円板状の部材であり、中間ギア部２２と平行な軸回りにリールボディ２ａに回転自在に装着されている。カムギア部２３は、外周部に形成されたギア部２３ａとマスターギア軸１１ａと平行な軸方向に突出して設けられた円柱状のカムピン２３ｂとを有している。ギア部２３ａは、第２ギア２２ｂより歯数が多い、たとえば歯数が２４の４葉の非円形ギアである。ギア部２３ａは、最大歯先円直径の歯が第２ギア２２ｂの最小歯先円直径の歯と噛み合うように配置されている。
【００２７】
スライダ部２４にはスプール軸２０の後端が固定されている。スライダ部２４は、カムピン２３ｂに係合する貫通する溝状に形成されカムピン２３ｂが係合するカム受け部２４ａを有している。スライダ部２４は、ガイド軸２５ａ，２５ｂにより、リールボディ２ａに前後方向に往復移動自在に支持されている。
【００２８】
２本のガイド軸２５ａ，２５ｂは、リールボディ２ａに上下に間隔を隔てて平行に配置されており、スプール軸２０に沿った前後方向にスライダ部２４を案内している。
【００２９】
＜ロータの構成＞
ロータ３は、円筒部３０と、円筒部３０の側方に互いに対向して設けられた第１アーム部３１及び第２アーム部３２とを有している。円筒部３０と両アーム部３１，３２とは一体成形されている。
【００３０】
円筒部３０の前部には前壁３３が形成されており、前壁３３の中央部にはボス部３３ａが形成されている。ボス部３３ａの中心部には貫通孔が形成されており、この貫通孔をピニオンギア１２の前部１２ａ及びスプール軸２０が貫通している。前壁３３の前方側にはナット３４が配置されており、このナット３４がピニオンギア１２の先端ねじ部に螺合している。
【００３１】
第１アーム部３１の先端の外周側には、第１ベール支持部材４０が揺動自在に取り付けられている。第１ベール支持部材４０の先端には、釣り糸をスプール４に案内するためのラインローラ４１が装着されている。また、第２アーム部３２の先端の外周側には、第２ベール支持部材４２が揺動自在に装着されている。第１ベール支持部材４０先端のラインローラ４１と第２ベール支持部材４２との間には、ベール４３が設けられている。また、各アーム部３１，３２の外周側には、カバー４４，４５が取り付けられている。このカバー４４，４５の表面は、前後方向にかつ円周方向に滑らかに連続する形状となっており、このため、釣り糸の引っ掛かりを防止できる。
【００３２】
＜逆転防止機構の構成＞
ロータ３の円筒部３０の内部には、ロータ３の逆転防止機構５０が配置されている。逆転防止機構５０は、図３に示すように、本発明の一実施形態によるローラクラッチ５１と、ローラクラッチ５１を作動状態（回転伝達状態）及び非作動状態（回転遮断状態）に切り換える操作機構５２とを有している。
【００３３】
＜ローラクラッチの構成＞
ローラクラッチ５１は、図３〜図６に示すように、内輪遊転型のものであり、リールボディ２ａの機構取付部２ｅに固定されたケース部材５３と、ケース部材５３に相対回転不能に装着された外輪５４と、外輪５４の内周面に配置され、ピニオンギア１２の前方筒部外周に固定された内輪５５と、複数のローラ５６と、複数のローラ５６を保持するリテーナ５７と、外輪５４の内周面に形成されたカム面５４ａと、複数のローラ５６をカム面５４ａにくい込む方向に付勢するばね部材５８と、を有している。また、ローラクラッチ５１は、ケース部材５３に固定されたカバー部材５９をさらに有している。
【００３４】
ケース部材５３は、内部に収納空間５３ａを有する合成樹脂製の有底筒状の部材である。ケース部材５３の収納空間５３ａの内周面には、外輪５４を回転不能に係止するための複数（たとえば、６個）の略半円形に凹んだ係止溝５３ｂが間隔を隔てて形成されている。係止溝５３ｂは、外輪５４の組立間違いを防止するために、一つだけ不等間隔に配置されている。ケース部材５３の底部には、内輪５５が通過可能な貫通孔５３ｃが形成されているとともに、貫通孔５３ｃの外周側に後述する操作ロッド６２が揺動かつ通過可能な通過孔５３ｄが形成されている。また、ケース部材５３の筒部には、軸方向に貫通する複数（たとえば、３個）のねじ貫通孔５３ｅと、貫通しない複数（たとえば、３個）のねじ孔５３ｆとが周方向に間隔を隔てて形成されている。このねじ貫通孔５３ｅには、ローラクラッチ５１を機構取付部２ｅに固定するための固定ボルト８０が挿通され、ねじ孔５３ｆには、カバー部材５９をケース部材５３に固定するための固定ボルト８１がねじ込まれる。固定ボルト８０は、機構取付部２ｅに形成された３個のねじ孔２ｆ（図３）にねじ込まれる。
【００３５】
外輪５４は、外周面に係止溝５３ｂに係止される係止突起５４ｂが周方向に間隔を隔てて一部が不等間隔に形成されている。外輪５４の内周面には、前述したカム面５４ａが凹んで形成されている。カム面５４ａは、ローラ５６の外周面に接触可能であり、かつローラ５６が外輪５４及び内輪５５にくい込み可能な湾曲した傾斜面で構成されている。カム面５４ａは、周方向に間隔を隔ててローラ５６の個数（たとえば、６個）分形成されている。
【００３６】
内輪５５は、ピニオンギア１２の前部１２ａに一体回転可能に連結されている。内輪５５の内周面には、ピニオンギア１２の外周面に係合する係止孔５５ａが形成されている。係止孔５５ａは軸方向の全長ではなく後部に形成されている。内輪５５の外周面には、ローラ５６に接触可能な接触面５５ｂと、接触面５５ｂの後方に配置され接触面５５ｂより小径の逃げ面５５ｃとが形成されている。内輪５５は、ロータ３のボス部３３ａと軸受１３の内輪とに挟まれ配置されている。
【００３７】
複数（たとえば、６個）のローラ５６は、外輪５４と内輪５５との間に周方向に間隔を隔てて配置され、両輪５４，５５の間にくい込み得るものである。ローラ５６は、両輪５４，５５の間にくい込む伝達位置と両輪５４，５５の間で遊転する非伝達位置とをとり得る。ローラ５６は、直径の１倍から２倍の範囲の長さを有する円柱状のものである。ローラ５６は、前端がカバー部材５９に、後端が操作機構５２の後述する操作板６１にそれぞれ規制されている。
【００３８】
リテーナ５７は、合成樹脂製の成形品であり、ケース部材５３の収納空間５３ａに収納されている。リテーナ５７は、ローラ５６を周方向に所定間隔で保持するとともに、図５に実線で示すローラクラッチ５１が作動状態となる伝達位置と、二点鎖線で示す非作動状態となる非伝達位置とに回動させるために設けられている。なお、図５では、図面をわかりやすくするために非伝達位置にある複数のローラ５６等は１箇所でのみ図示している。リテーナ５７は、座金形状の取付部５７ａと、取付部５７ａの内周部から内周側に突出して一体形成された複数（たとえば、６個）の保持部５７ｂと、を有している。取付部５７ａは、ばね部材５８の後述する装着部５８ａと外輪５４の後面との間に配置されている。取付部５７ａの外周部には、ばね部材５８との取付位相を合わせるための複数（たとえば６個）の係止突起５７ｄが後方（図４右方）に突出して形成されている。
【００３９】
複数の保持部５７ｂは、複数のローラ５６の間に配置されている。複数の保持部５７ｂは、複数のローラ５６を周方向に間隔を隔て配置しかつ周方向に一括して回動可能にするためのものである。保持部５７ｂは、取付部５７ａから軸方向前方（図４左側）に突出して形成されている。保持部５７ｂは、ばね部材５８により付勢されたローラ５６の外周面が接触する湾曲した接触面５７ｅを周方向の側面の一方に有している。また、突出端には、カバー部材５９の後述する接触凸部５９ｃが接触してカバー部材５９の取付位相を決定するとともに、ばね部材５８の浮き上がりを防止するための接触凹部５７ｆが形成されている。
【００４０】
なお、リテーナ５７の回動によりローラ５６が伝達位置にある作動状態では、外輪５４と内輪５５とは一方向にのみ相対回転が不能であり、ローラ５６が非伝達位置にある非作動状態では、外輪５４と内輪５５とは相対回転自在である。
【００４１】
ばね部材５８は、たとえば、ばね鋼などの金属板材製の、たとえば厚みが０．１〜０．８ｍｍ程度の板ばねである。ばね部材５８は、図７に示すように、外輪５４の端面にリテーナ５７の取付部５７ａを介して配置可能な環状の装着部５８ａと、装着部５８ａから折り曲げられて複数のローラ５６の間で複数のローラ５６に向かってそれぞれ延びる複数（たとえば、６対）のばね部５８ｂと、ばね部５８ｂの先端からローラ５６の外周面に接触可能にばね部５８ｂと交差する方向にそれぞれ延びる複数（たとえば６個）の押圧部５８ｃと、を有している。
【００４２】
装着部５８ａは、外輪５４の端面に配置されるリング部５８ｄと、リング部５８ｄの内周部５８ｆに周方向に間隔を隔てて配置され、内周部５８ｆから径方向内方に延びる複数（たとえば、６個）のばね配置部５８ｅと、を有している。リング部５８ｄは、リテーナ５７の取付部５７ａと概ね同じ外形であり、外周部にはリテーナ５７の係止突起５７ｄに係合する係止凹部５８ｇが形成されている。この係合により、ばね部材５８は、リテーナ５７と一体的に回動する。リング部５８ｄは取付部５７ａとケース部材５３の底部に操作板６１を介して挟まれて保持される。ばね配置部５８ｅは、リテーナ５７の保持部５７ｂと同じ周方向位置に配置可能であり、保持部５７ｂにより浮き上がりが防止される。
【００４３】
複数のばね部５８ｂは、ばね配置部５８ｅから折れ曲がってローラ５６に向かって延びている。具体的には、ばね配置部５８ｅの内周側及び外周側の端部からローラ５６に向かって１対延びている。ばね部５８ｂの折れ曲がり角度は、２０から４５度の範囲である。折れ曲がり角度が２０度未満であると、付勢時の変位が小さくなるので好ましくなく、４５度を超えると付勢時の変位が大きくなり過ぎて好ましくない。
【００４４】
複数の押圧部５８ｃは、ばね部５８ｂの先端を連結するようにばね部５８ｂと交差する方向に延びている。押圧部５８ｃのローラ５６の外周面に接触する部分は、ローラ５６の外周面に沿うように湾曲して形成されている。
【００４５】
カバー部材５９は、合成樹脂製の段付きリング状の部材であり、ケース部材５３の収納空間５３ａを塞ぐものである。カバー部材５９は、ケース部材５３に固定される大径の固定部５９ａと、固定部５９ａより小径でかつ前方に突出したローラ規制部５９ｂと、を有している。ローラ規制部５９ｂは、ローラ５６の前端面を規制するものである。ローラ規制部５９ｂのローラ配置部分から外れた内側面には、後方に突出してリテーナ５７の保持部５７ｂの接触凹部５７ｆに接触して係合する接触凸部５９ｃが周方向に間隔を隔てて複数（たとえば、６個）設けられている。この接触凸部５９ｃが保持部５７ｂの接触凹部５７ｆに接触することにより、保持部５７ｂと同じ位置に配置されたばね部材５８のばね配置部５８ｅの浮き上がりを防止できる。この結果、ばね配置部５８ｅから折れ曲がるばね部５８ｂの付勢力が安定する。また、固定部５９ａの内側面には、外輪５４の前端面に接触して外輪５４を規制する、たとえば、潤滑油が含浸されたフェルト製の規制ワッシャ６０が装着されている。
【００４６】
＜操作機構の構成＞
操作機構５２は、ケース部材５３内の底部に回動可能に配置されたほぼ円板状の操作板６１と、操作板６１を回動させるための操作ロッド６２と、操作ロッド６２を動作位置と動作解除位置とに振り分けて付勢する捩じりコイルばねからなるトグルばね６３と、操作ロッド６２を回動操作するための操作レバー６４と、を有している。
【００４７】
操作板６１は、リング状の部材であり、内周部を内輪５５が通過可能である。操作板６１には、カム受け孔６１ａが形成されており、このカム受け孔６１ａに、操作ロッド６２の先端に形成されたカム突起６２ａが係合している。また、操作板６１の外周部には、複数（たとえば、６個）の係止凹部６１ｂが円周方向に等角度間隔で形成されており、これらの係止凹部６１ｂにリテーナ５７の後端面に形成された係止突起５７ｄが係合している。このため、操作板６１が回動すると、リテーナ５７及びばね部材５８が回動し、ローラ５６を伝達位置と非伝達位置との間で移動させることが可能である。
【００４８】
操作ロッド６２は、リールボディ２ａの機構取付部２ｅに回動自在に支持され、先端に前述したカム突起６２ａが径方向に突出して形成されている。操作ロッド６２の先端は、ケース部材５３の貫通孔５３ｃを貫通してカム受け孔６１ａに係合している。カム突起６２ａが回動すると、カム受け孔６１ａが押圧されて操作板６１が回動する。
【００４９】
トグルばね６３は、一端が操作ロッド６２に係止され、他端が機構取付部２ｅに係止されている。トグルばね６３は、操作ロッド６２を動作位置と動作解除位置とに振り分けて付勢する。
【００５０】
操作レバー６４は、操作ロッド６２の後端部にボルト部材６５により一体回動可能に連結されている。操作レバー６４は、図１及び図２に示すように、リール本体２の下部から外部に露出している。
【００５１】
＜スプールの構成＞
スプール４は、ロータ３の第１アーム部３１と第２アーム部３２との間に配置されており、スプール軸２０の先端にドラグ機構７０を介して装着されている。スプール４は、外周の釣り糸が巻かれる糸巻胴部４ａと、糸巻胴部４ａの後部に一体で形成されたスカート部４ｂと、糸巻胴部４ａの前端に固定されたフランジ部４ｃとを有している。フランジ部４ｃは、糸巻胴部４ａと一体形成されている。
【００５２】
＜リールの操作及び動作＞
キャスティング時には、釣り糸を人差し指で引っ掛けた状態でベール４３を糸開放姿勢側に倒す。これにより、第１及び第２ベール支持部材４０，４２は同方向に回動する。
【００５３】
釣り糸巻き取り時には、ベール４３を糸巻き取り姿勢側に倒す。この状態でハンドル１を糸巻き取り方向に回転させると、この回転力はハンドル軸１０及びマスターギア１１を介してピニオンギア１２に伝達される。このピニオンギア１２に伝達された回転力は、ピニオンギア１２の前部１２ａを介してロータ３に伝達される。
【００５４】
一方、マスターギア１１の回転に伴い駆動ギア２１に噛み合う第１ギア２２ａにより中間ギア部２２が回転し、第２ギア２２ｂとギア部２３ａとの噛み合いによりカムギア部２３が回転し、この回転がカムピン２３ｂによりスライダ部２４に伝達される。この結果、スライダ部２４がスプール軸２０の軸芯Ｘに沿って前後に往復移動する。
【００５５】
このときの駆動ギア２１と第１ギア２２ａとの間で減速されるとともに、第２ギア２２ｂとギア部２３ａとの間でも減速され、ハンドル１の回転が大きく減速されてカムギア部２３の回転が従来に比べて遅くなる。このため、スプール４の往復移動速度が遅くなり、スプール４に釣り糸を密に巻き付けできる。また、第２ギア２２ｂとギア部２３ａとは非円形ギアであるので、等速円運動を不等速円運動に変換できる。このため、スプール４の前後移動速度の変動による糸巻形状の乱れを、円形ギアを使用する場合に比べて抑えることができる。
【００５６】
＜逆転防止機構の操作及び動作＞
キャスティング時等においては、ロータ３が逆転しないように、操作レバー６４によりローラ５６を伝達位置に移動させる。すなわち、操作レバー６４を一方に回動することにより、操作ロッド６２を同方向に回動させる。操作ロッド６２が回動すると、操作ロッド６２のカム突起６２ａにより操作板６１が回動し、リテーナ５７も一緒に回動する。この結果、リテーナ５７に保持されたローラ５６が、伝達位置に移動する。
【００５７】
このような状態でロータ３、つまり内輪５５が正方向（図５の時計回りの糸巻取り方向）に回転すると、ローラ５６は、ばね部材５８の付勢力に抗して、カム面５４ａへのくい込み位置から移動し、外輪５４と内輪５５との間で遊転する。このため、ロータ３の正方向の回転が妨げられることはない。しかし、ばね部材５８の付勢力が強すぎると、ローラ５６がくい込み位置から離れにくくなり、糸巻取方向の回転が重くなるおそれがある。しかし、本願発明では、付勢力を発生するばね部５８ｂと、ばね部５８ｂと交差する方向に延びてローラ５６に接触する接触部５８ｃとにより、ばね部材５８を構成したので、付勢力（ばね力）をばね部５８ｂの厚みや幅で調整できるとともに、ローラ５６との接触長さを押圧部５８ｃの長さを適宜に設定できる。このため、ローラ５６の形状に関わらず、板ばねのばね部材５８によりローラ５６を適正な付勢力で確実にカム面にくい込む方向に付勢できるようになる。
【００５８】
一方、ロータ３、つまり内輪５５が逆方向（図５の反時計回りの糸繰り出し方向）に回転すると、ローラ５６は外輪５４と内輪５５との間にくい込み、両者は相対回転不能な状態となる。ここで、外輪５４は、ケース部材５３を介してリール本体２に固定されているので、内輪５５の回転、すなわちロータ３の一方向（釣り糸が繰り出される方向）への回転が禁止される。このとき、ばね部材５８の付勢力が弱すぎると、くい込み位置から離れやすくなる。
【００５９】
操作レバー６４を前記とは逆方向に回動すると、前記と同様の動作によってローラ５６が非伝達位置に移動する。この状態では、ローラ５６は、外輪５４と内輪５５との間にくい込むことはできない。したがって、外輪５４に対して内輪５５が正逆両方向に回転可能となり、ロータ３の釣り糸繰り出し方向への回転が可能となる。
【００６０】
ここでは、ばね部材５８のばね部５８ｂに対して押圧部５８ｃが交差する方向に延びている。このため、ばね部５８ｂの幅や厚みによりばね部材５８のばね力をローラ５６に対して適宜に設定できるとともに、ばね部５８ｂと交差する押圧部５８ｃの長さによりローラ５６との接触部の長さを適宜に設定できる。したがって、ローラ５６の形状に関わらず、板ばねのばね部材５８によりローラ５６を適正な付勢力で確実にカム面にくい込む方向に付勢できるようになる。
【００６１】
＜他の実施例＞
（ａ）前記実施形態では内輪遊転型の例に説明したが、本発明は内輪遊転型に限定されるものではない。外輪遊転型の場合には、内輪の外周面に形成された複数のカム面を設け、内輪の端面にばね部材の装着部やリテーナの取付部を配置すればよい。また、複数のばね部は、ばね部材の装着部の外周部に間隔を隔てて配置し、リテーナの複数の保持部はリテーナの取付部の外周部に間隔を隔てて形成すればよい。
【００６２】
（ｂ）前記実施形態では、スピニングリールに装着されるローラクラッチを例に説明したが、本発明はこれに限定されるものではなく、機械要素としての全てのローラクラッチに適用できる。
【００６３】
（ｃ）前記実施形態では、ローラクラッチを作動状態と非作動状態とに切り換え可能な構成としたが、ローラクラッチを作動状態と非作動状態とに切り換える必要がない場合、ばね部材やリテーナをケース部材又は外輪に対して回転不能に連結してもよい。
【００６４】
（ｄ）前記実施形態では、ローラクラッチにケース部材及びカバー部材を設けたが、これらは、ローラクラッチの必須の構成要件ではない。たとえば、リール本体等の部品に筒状部分を設け、外輪を部品に直接装着する場合、ケース部材は不要である。また、カバー部材も抜け止めばねやシール部材などで代用してもよい。
【００６５】
（ｅ）前記実施形態では、ばね部材５８のばね部５８ｂを押圧部５８ｃの両端に１対設けたが、ばね部は１対でなくてもよい。たとえば、図８に示すように、ばね部材１５８のばね部１５８ｂを、装着部１５８ａのばね配置部１５８ｅの外周側から折り曲げ、押圧部１５８ｃをばね部１５８ｂの先端から内周方向に延びるようにＬ字形に構成してもよい。また、図９に示すように、ばね部材２５８のばね部２５８ｂを、装着部２５８ａのばね配置部２５８ｅの中間部から折り曲げ、押圧部２５８ｃをばね部１５８ｂの先端から内外周両方向に延びるようにＴ字形に構成してもよい。
【００６６】
（ｆ）前記実施形態では、カバー部材５９に接触凸部５９ｃを設け、保持部５７ｂに設けられた接触凹部５７ｆに接触させて、ばね配置部５８ｅの浮き上がりを防止したが、接触の形態は凹凸嵌合に限定されない。また、ばね部材の形態によっては、カバー部材を接触させなくてもよい。
【図面の簡単な説明】
【００６７】
【図１】本発明の一実施形態を採用したスピニングリールの側面図。
【図２】そのスピニングリールの側面断面図。
【図３】そのスピニングリールの逆転防止機構の取付状態を示す斜視図。
【図４】ローラクラッチの分解斜視図。
【図５】カバー部材を外したローラクラッチの正面図。
【図６】図５のVI−VI断面図。
【図７】ばね部材の斜視図。
【図８】他の実施形態の図７に相当する図。
【図９】さらに他の実施形態の図７に相当する図。
【符号の説明】
【００６８】
２  リール本体
５１  ローラクラッチ
５３  ケース部材
５３ａ  収納空間
５４  外輪
５４ａ  カム面
５５  内輪
５６  ローラ
５７  リテーナ
５７ａ  取付部
５７ｂ  保持部
５８，１５８，２５８  ばね部材
５８ａ，１５８ａ，２５８ａ  装着部
５８ｂ，１５８ｂ，２５８ｂ  ばね部
５８ｃ，１５８ｃ，２５８ｃ  押圧部
５８ｄ  リング部
５８ｅ，１５８ｅ，２５８ｅ  ばね配置部
５９  カバー部材
５９ｃ  接触凸部（接触部の一例）
【図１】
2009063051.tif 000003
【図２】
2009063051.tif 000004
【図３】
2009063051.tif 000005
【図４】
2009063051.tif 000006
【図５】
2009063051.tif 000007
【図６】
2009063051.tif 000008
【図７】
2009063051.tif 000009
【図８】
2009063051.tif 000010
【図９】
2009063051.tif 000011